(57)【要約】【課題】観察光学系が軸部の周りに回転されて撮像素子の横方向が水平方向に対して傾いた状態で撮像された画像を、表示画像の水平方向とモニタ表示画面の横方向とが平行になるように補正する。【解決手段】左右の観察光学系３Ｒ、３Ｌがこれらの観察光学系３Ｒ、３Ｌの光軸ＸＲ、Ｘｌに平行な軸２０の周りに相対的に回転可能とされ、少なくとも一方の観察光学系３Ｒに観察光を撮像する撮像素子１４を備える双眼鏡装置１において、撮像素子１４を備える一方の観察光学系３Ｒの回転基準位置からの回転角度を検出する、導電パターン２１Ａと接触子２２から構成される回転角検出手段と、撮像素子１４で撮影された画像の画像データを補正する画像補正手段２３とを備え、画像データの補正を、撮像素子１４の撮像面の対角線に対し、対角線が回転角検出手段により検出された回転角度の角度を有している画像の切り出し処理とする。【選択図】  図２
2004191861.tif 000002
【特許請求の範囲】
【請求項１】
左右の観察光学系がこれらの観察光学系の光軸に平行な軸の周りに相対的に回転可能とされ、少なくとも一方の観察光学系に観察光を撮像する撮像素子を備える双眼鏡装置において、
上記撮像素子を備える上記一方の観察光学系の回転基準位置からの回転角度を検出する回転角検出手段と、
上記撮像素子で撮影された画像の画像データを補正する画像補正手段とを備え、
上記画像データの補正は、補正後の画像データに基づく画像が、上記撮像素子で撮像された画像に対して、上記回転角検出手段により検出された回転角の角度だけ回転した画像となる処理であることを特徴とする双眼鏡装置。
【請求項２】
前記画像補正手段は、画像データの補正が、前記撮像素子の撮像面の対角線に対し、対角線が前記回転角検出手段により検出された回転角の角度を有している画像を、前記撮像素子の撮像面から切り出す画像の切り出し処理であることを特徴とする請求項１に記載の双眼鏡装置。
【請求項３】
前記画像補正手段は、画像データの補正が、前記撮像素子で撮像された画像を、前記回転角検出手段により検出された回転角の角度だけ回転させる画像の回転処理であることを特徴とする請求項１に記載の双眼鏡装置。
【請求項４】
前記回転角検出手段は、エンコーダであることを特徴とする請求項１から請求項３のいずれか１項に記載の双眼鏡装置。
【請求項５】
前記エンコーダは、前記軸の側に備えられた導電パターン部と、この導電パターン部に接触しながら前記観察光学系の回転に従って回転する接触子を有していることを特徴とする請求項４に記載の双眼鏡装置。
【請求項６】
前記回転角検出手段は、前記左右の観察光学系のいずれか一方の光路内に光軸を回転軸として回転可能に備えられる指標体と、
この指標体の回転に従って回転する導電パターン部と前記指標体が備えられる観察光学系を保持する鏡筒の側に備えられ前記導電パターン部に接触する接触子を有するエンコーダと
を備えることを特徴とする請求項１または請求項３のいずれか１項に記載の双眼鏡装置。
【請求項７】
左右の観察光学系がこれらの観察光学系の光軸に平行な軸の周りに相対的に回転可能とされ、少なくとも一方の観察光学系に観察光を撮像する撮像素子を備える双眼鏡装置において、
上記撮像素子が水平面に対して回転したとき、その回動を検知した信号を受け上記撮像素子で撮像された画像から前記水平面と平行な枠で囲まれた画像を切り出す処理を行う画像補正手段を有してなることを特徴とする双眼鏡装置。
【請求項８】
請求項１から請求項７のいずれか１項に記載の双眼鏡装置は、前記撮像素子が、前記一方の観察光学系の第一結像面位置と、この前記一方の観察光学系の光路から退避した退避位置とに変位することを特徴とする双眼鏡装置。
【発明の詳細な説明】
【０００１】
【発明の属する技術分野】
本発明は、双眼鏡装置に関する。さらに詳しくは、双眼鏡装置の観察光学系で捕らえた観察光を撮像する撮像手段を内蔵する双眼鏡装置に関する。
【０００２】
【従来の技術】
双眼鏡装置で遠方の風景や建物等の観察対象物を観察しているときに、観察対象物を画像として記録しておきたいという場合がある。このような要求を満たす双眼鏡装置として、例えば、特許文献１（特開平１１−６４７４０号公報）あるいは特許文献２（特開平１１−１１２８５１号公報）等には、撮像機能を付加した双眼鏡装置が開示されている。
【０００３】
この撮像機能を備えた双眼鏡装置は、一方の観察光学系の第一結像面位置における観察光を撮像素子により捕らえるようにしたものである。
【０００４】
また、この双眼鏡装置は、左右一対の観察光学系を、これらの光学系の中間に配設された軸部の周りに、回転可能に保持している。そして、観察光学系を軸部の周りに回転させることにより左右の観察光学系の間隔を変化させることができる。そのため、双眼鏡装置を使用する者（観察者）は、観察光学系を軸部の周りに回転させて、左右の観察光学系の間隔を両眼の間隔に合わせることができるようになっている。
【０００５】
【特許文献１】
特開平１１−６４７４０号公報  （第１図）
【特許文献２】
特開平１１−１１２８５１号公報  （第１図）
【０００６】
【発明が解決しようとする課題】
しかしながら、撮像素子を備えた双眼鏡装置においては、観察光学系を軸部の周りに回転すると、撮像素子も観察光学系とともに軸部の周りに回転し、撮像素子の横方向（撮像素子の上辺と下辺に平行な方向）が水平面に対して傾く。そのため、撮像素子で撮影された観察対象物の画像をそのままモニタ表示画面で再生すると、表示された画像の水平方向が、モニタ表示画面の横方向（モニタ表示画面の上辺と下辺に平行な方向）に対して傾いた違和感のある画像となってしまう。
【０００７】
そこで、本発明は、観察光学系が軸部の周りに回転され、撮像素子の横方向が水平面に対して傾いた状態で撮像が行われたときに、モニタ表示画面に表示される画像の水平方向とモニタ表示画面の横方向との傾きが少なくなるように、撮像素子の画像データを補正する双眼鏡装置を提供することを目的とする。
【０００８】
【課題を解決するための手段】
請求項１記載の双眼鏡装置は、左右の観察光学系がこれらの観察光学系の光軸に平行な軸の周りに相対的に回転可能とされ、少なくとも一方の観察光学系に観察光を撮像する撮像素子を備える双眼鏡装置において、撮像素子を備える一方の観察光学系の回転基準位置からの回転角度を検出する回転角検出手段と、撮像素子で撮影された画像の画像データを補正する画像補正手段とを備え、画像データの補正は、補正後の画像データに基づく画像が、撮像素子で撮像された画像に対して、回転角検出手段により検出された回転角の角度だけ回転した画像となる処理であることを特徴とする。双眼鏡装置をこのように構成することで、補正された画像データに基づいて表示されるモニタ表示画面の画像の水平方向が水平面となす傾きの角度を、観察光学系の回転基準位置からの回転角度に比べて小さくすることができる。つまり、観察光学系が軸の周りに回転させられ、撮像素子が傾いた状態とされても、モニタ表示画面に表示される画像の水平方向とモニタ表示画面の横方向との傾きを小さくすることができる。
【０００９】
請求項２記載の双眼鏡装置は、画像補正手段について、画像データの補正が、撮像素子の撮像面の対角線に対し、対角線が回転角検出手段により検出された回転角の角度を有している画像を、撮像素子の撮像面から切り出す画像の切り出し処理であることを特徴とする。双眼鏡装置をこのように構成することで、切り出し処理された画像の画像データに基づいて表示されるモニタ表示画面の画像の水平方向が水平面となす傾きの角度を、観察光学系の回転基準位置からの回転角度に比べて小さくすることができる。つまり、観察光学系が軸の周りに回転させられ、撮像素子が傾いた状態とされても、モニタ表示画面に表示される画像の水平方向とモニタ表示画面の横方向との傾きを小さくすることができる。
【００１０】
請求項３記載の双眼鏡装置は、画像補正手段について、画像データの補正が、撮像素子で撮像された画像を、回転角検出手段により検出された回転角の角度だけ回転させる画像の回転処理であることを特徴とする。双眼鏡装置をこのように構成することで、回転処理された画像の画像データに基づいて表示されるモニタ表示画面の画像の水平方向が水平面となす傾きの角度を、観察光学系の回転基準位置からの回転角度に比べて小さくすることができる。つまり、観察光学系が軸の周りに回転させられ、撮像素子が傾いた状態とされても、モニタ表示画面に表示される画像の水平方向とモニタ表示画面の横方向との傾きを小さくすることができる。
【００１１】
請求項４記載の双眼鏡装置は、回転角検出手段が、エンコーダであることを特徴とする。双眼鏡装置をこのように構成することで、回転角度の検出を簡易な構成で行うことができる。
【００１２】
請求項５記載の双眼鏡装置は、エンコーダが、軸の側に備えられた導電パターン部と、この導電パターン部に接触しながら観察光学系の回転に従って回転する接触子を有していることを特徴とする。双眼鏡装置をこのように構成することで、エンコーダを簡易な構成とすることができる。
【００１３】
請求項６記載の双眼鏡装置は、回転角検出手段が、左右の観察光学系のいずれか一方の光路内に光軸を回転軸として回転可能に備えられる指標体と、この指標体の回転に従って回転する導電パターン部と指標体が備えられる観察光学系を保持する鏡筒の側に備えられ導電パターン部に接触する接触子を有するエンコーダとを備えることを特徴とする。双眼鏡装置をこのように構成することで、指標体を回転させることで、撮像素子を備える観察光学系の回転基準位置からの回転角度を検出することができる。
【００１４】
請求項７記載の双眼鏡装置は、左右の観察光学系がこれらの観察光学系の光軸に平行な軸の周りに相対的に回転可能とされ、少なくとも一方の観察光学系に観察光を撮像する撮像素子を備える双眼鏡装置において、撮像素子が水平面に対して回転したとき、その回動を検知した信号を受け撮像素子で撮像された画像から前記水平面と平行な枠で囲まれた画像を切り出す処理を行う画像補正手段を有してなることを特徴とする。双眼鏡装置をこのように構成することで、撮像素子を備える観察光学系が軸の周りに回転しても、切り出し処理された画像は、画像の中の水平方向が水平面に対して水平になっている。そのため、この画像をモニタ表示装置に表示したときにも、表示画像の水平方向とモニタ表示画面の横方向とが平行になっている。
【００１５】
請求項８記載の双眼鏡装置は、請求項１から請求項７のいずれか１項に記載の双眼鏡装置において、撮像手段が、一方の観察光学系の第一結像面位置と、この一方の観察光学系の光路から退避した退避位置とに変位することを特徴とする。双眼鏡装置をこのように構成することで、観察光学系を撮像用と観察者が直接観察対象物を観察する観察用に兼用することができる。
【００１６】
【発明の実施の形態】
以下、本発明の実施の形態を図１から図１３を参照しながら説明する。なお、図１２、図１３は、本発明の第２の実施の形態であり、まず図１から図１１に基づいて第１の実施の形態の双眼鏡装置について説明する。
【００１７】
図１には、本発明の第１の実施の形態にかかる双眼鏡装置１の外観が示されている。また、図２から図１１には、この双眼鏡装置１の内部の構造が示されている。
【００１８】
以下の説明においては、双眼鏡装置１の観察対象物側を前方、観察者側を後方とする。そして、後方から前方を見て、右手側を右側、左手側を左側として説明する。つまり、図１から図４については、図面の左方向を前方、右方向が後方になる。また、図５から図８については、双眼鏡装置１を後方側から見た図として描いている。
【００１９】
双眼鏡装置１は、筐体２により外郭が形成されていて、この筐体２は、左右一対の鏡筒２Ｒと鏡筒２Ｌを備えている。図２に示されるように鏡筒２Ｒには観察光学系３Ｒが、また鏡筒２Ｌには観察光学系３Ｌがそれぞれ保持されている。
【００２０】
観察光学系３Ｒは、対物光学系３Ｒａ、正立光学系３Ｒｂ、接眼光学系３Ｒｃとを有して構成されている。また、他方の観察光学系３Ｌも対物光学系３Ｌａ、正立光学系３Ｌｂ、接眼光学系３Ｌｃとを有して構成されている。
【００２１】
双眼鏡装置１の前方に存在する観察対象物からの観察光は、左右の対物光学系３Ｒａ、３Ｌａにそれぞれ入射し、正立光学系３Ｒｂ、３Ｌｂを通って接眼光学系３Ｒｃ、３Ｌｃから出射する。観察者は、接眼光学系３Ｒｃ、３Ｌｃを左右の瞳でそれぞれ覗き込むと、観察対象物を双眼観察することができる。
【００２２】
対物光学系３Ｒａに入射した観察光は、正立光学系３Ｒｂと接眼光学系３Ｒｃとの間に位置する第一結像面位置Ｍａに一旦結像し、他方の対物光学系３Ｌａに入射した観察光も、正立光学系３Ｌｂと接眼光学系３Ｌｃとの間に位置する第一結像面位置Ｍｂに一旦結像する。そしてこの第一結像面位置Ｍａ、Ｍｂに結像した観察光は、接眼光学系３Ｒｃ、３Ｌｃを通過し、後方に出射する。凸レンズとなる接眼光学系３Ｒｃ、３Ｌｃの焦点位置は、それぞれ第一結像面位置Ｍａ、Ｍｂに一致させられている。したがって、観察者は、第一結像面位置Ｍａ、Ｍｂに結像した観察光を、接眼光学系３Ｒｃ、３Ｌｃにより拡大して観察することになる。
【００２３】
正立光学系３Ｒｂ、３Ｌｂは、対物光学系３Ｒａ、３Ｌａによって左右上下が反転される像を、第一結像面位置Ｍａ、Ｍｂにおいて正立した状態にして結像させる役目を果たすものである。例えば、像の上下を反転させるポロプリズムと像の左右を反転させるポロプリズムとを組み合わせて構成する。
【００２４】
ここで、観察光学系３Ｒの光軸をＸＲ、観察光学系３Ｌの光軸をＸＬとするとともに、観察光学系３Ｒの光路を観察光路Ｒ、観察光学系３Ｌの光路を観察光路Ｌとして以下の説明を行う。
【００２５】
対物光学系３Ｒａ、３Ｌａは、焦点調節装置４の調節つまみ５を左右方向、つまり、図１に示す矢印の方向に回転させると、この回転方向に対応して、それぞれ光軸ＸＲと光軸ＸＬに沿って前後に変位する。つまり、調節つまみ５を回転操作して対物光学系３Ｒａ、３Ｌａを前後に変位させることにより、双眼鏡装置１から任意の距離にある観察対象物からの観察光を、各対物光学系３Ｒａ、３Ｌａの第一結像面位置Ｍａ、Ｍｂに結像させることができる。
【００２６】
焦点調節装置４は、前述の調節つまみ５と、対物光学系３Ｒａ、３Ｌａを保持する対物光学系保持体６と、調節つまみ５を筐体２に支持する支持体２ａとから構成されている。対物光学系保持体６は、対物光学系３Ｒａ、３Ｌａをそれぞれ保持する円形の対物光学系保持枠７、８を有し、前方あるいは後方から見たときの形状が、眼鏡枠形状をしている。対物光学系保持枠７と対物光学系保持枠８とは連結部９で連結されている。
【００２７】
調節つまみ５の前面には、外周にねじ部が形成されているねじ軸１０が調節つまみ５と一体的に設けられている。この調節つまみ５は、一体的に設けられているねじ軸１０が光軸ＸＲ、ＸＬに平行な状態となるように支持体２ａに支持されている。ねじ軸１０と連結部９とは、ねじ結合していて、調節つまみ５を図示矢印の方向に回転させると、対物光学系保持体６は、ねじ軸１０にリードされながら調節つまみ５の回転方向に対応して、前後に変位する。そのため、上述のように、調節つまみ５を回転操作して観察対象物からの観察光が第一結像面位置Ｍａ、Ｍｂに結像するように、対物光学系３Ｒａ、３Ｌａを変位させることができる。
【００２８】
対物光学系保持枠７の右側は鏡筒２Ｒに形成されたガイド部１１にガイドされている。また、対物光学系保持体８の左側は鏡筒２Ｌに形成されたガイド部１２にガイドされている。つまり、対物光学系保持体６は、ガイド部１１とガイド部１２により前後方向のみに移動可能にガイドされている。したがって、対物光学系保持体６はガイド部１１とガイド部１２にガイドされているため、調整つまみ５を回転させたときに、ねじ軸１０の回転に引きずられてねじ軸１０の周りに回転してしまうことなく、光軸ＸＲ、ＸＬに沿って変位することができる。
【００２９】
双眼鏡装置１は、観察光学系３Ｒの第一結像面位置Ｍａに結像する観察光を撮像する撮像ユニット１３を備えている。この撮像ユニット１３は、撮像手段としての電荷結合素子（以下ＣＣＤという）１４と、このＣＣＤ１４が直接実装されたプリント基板１５と、このプリント基板１５が取り付けられるＣＣＤ支持板１６とを備えて構成されている。
【００３０】
鏡筒２Ｒの上面には、光軸ＸＲに直交する方向に延びる案内溝１７が形成されている。ＣＣＤ支持板１６の上端縁部には、案内溝１７に係合するガイド突起１６ａが設けられている。ガイド突起１６ａの上端部は、案内溝１７を貫通して鏡筒２Ｒの上面から突出していて、ＣＣＤ支持板１６の操作部１６ｂとして形成されている。この操作部１６ｂを案内溝１７に沿ってスライド操作することにより、ＣＣＤ１４を左右に変位させることができる。
【００３１】
図３は、ＣＣＤ１４が観察光を遮らないように観察光路Ｒから退避した位置にある状態を示している。撮像ユニット１３がこの状態にあるときには、観察光は、接眼光学系３Ｒｃに導かれ、観察者の眼に入る。すなわち、観察者が接眼光学系３Ｒｃを覗き観ると、観察光学系３Ｒを介して観察対象物を観察することができる。
【００３２】
一方、図４は、ＣＣＤ１４が、観察光路Ｒに挿入され、第一結像面位置Ｍａと重なる位置に挿入された状態を示している。撮像ユニット１３がこの状態にあるときは、ＣＣＤ１４の撮像面には対物光学系３Ｒａ、正立光学系３Ｒｂを介した観察光が結像する。
【００３３】
ＣＣＤ支持板１６の上縁部には凸部１６ｃ（図５参照）が形成されている。また、図５に示されるように鏡筒２Ｒの内側面には、凸部１６ｃに係合する凹部１８と凹部１９が形成されている。ＣＣＤ支持板１６が、図３および図５に示すように観察光路Ｒから退避した位置に在るときには、凸部１６ｃは凹部１８に係合する。ＣＣＤ支持板１６が、図４および図６に示すように第一結像面位置Ｍａと重なる位置に在るときには、凸部１６ｃは凹部１９に係合する。凸部１６ｃが、凹部１８および凹部１９に係合し、位置決め固定されするため、ＣＣＤ支持板１６が、図３に示す観察光路Ｒから退避した位置に在るときや，図４に示す第一結像面位置Ｍａに挿入された位置（第一結像面位置Ｍａと重なる位置）にあるときに、双眼鏡装置１が傾いたり振動しても、ＣＣＤ支持板１６が左右方向に移動してしまうことがない。
【００３４】
なお、凸部１６ｃと凹部１８および凹部１９との係合は、いわゆるクリック機構に相当するものである。
【００３５】
撮像ユニット１３を図３に示す状態から図４に示す状態にするには、操作部１６ｂを左方にスライド操作する。この際、操作部１６ｂのスライド操作は、ＣＣＤ支持板１６の凸部１６ｃと凹部１８の係合力に抗して行うことになる。
【００３６】
鏡筒２Ｒと鏡筒２Ｌは、光軸ＸＲと光軸ＸＬから等距離にかつ平行な軸となっている軸部２０に取り付けられている。なお、この軸部２０は、ねじ軸１０と同一の軸上に形成されているが、互いに独立した部材となっている。つまり、ねじ軸１０は、軸部２０と独立して調節つまみ５の回転操作により回転できるようになっている。
【００３７】
鏡筒２Ｌは、軸部２０に固定的に取り付けられている。一方、他方の鏡筒２Ｒは、軸部２０の周りに回転できるように取り付けられている。そのため、図７に実線と点線で示めすように、鏡筒２Ｒを軸部２０の周りに回転させると、鏡筒２Ｒと鏡筒２Ｌが軸部２０を挟む角度が変わり、接眼光学系３Ｒｃと３Ｌｃの光軸間の距離Ｄを変えることができる。観察者は、鏡筒２Ｒを軸部２０の周りに回転させて距離Ｄを観察者の両眼の間隔に合わせることができる。
【００３８】
双眼鏡装置１は、概ね水平に使用されるのが通常の使い方である。したがって、本実施の形態の説明は、双眼鏡装置１が水平な状態にあるときを説明している。
【００３９】
例えば、上述の図７の実線と点線の状態は、図面では（見掛け上は）、軸部２０に対して鏡筒２Ｒと鏡筒２Ｌがそれぞれ同じ角度回転しているように描かれているが、軸部２０に対しては鏡筒２Ｒだけが回転している。つまり、図７では、鏡筒２Ｒを時計方向（後方から見て右回）に回転しながら、双眼鏡装置１を、軸部２０を中心にして、鏡筒２Ｒが軸部２０の周りに回転した回転角度の半分だけ、反時計方向（後方から見て左回）に回転させている。そのため、双眼鏡装置１は水平な状態を保ったまま、鏡筒２Ｒと鏡筒２Ｌが、軸部２０を回転中心として互いに反対周りに同じ角度回転しているように見える。
【００４０】
双眼鏡装置１を水平にした状態のまま、鏡筒２Ｒを軸部２０の周りに反時計方向に回し切った状態、つまり、鏡筒２Ｒと鏡筒２Ｌが軸部２０を挟む角度が一番大きくされた状態のときに、ＣＣＤ１４の横方向（ＣＣＤ１４の上辺と下辺に平行な方向）が水平面と平行になるように、ＣＣＤ１４は鏡筒２Ｒ内に取り付けられている。
【００４１】
以下の説明において、双眼鏡装置１を水平にした状態で、ＣＣＤ１４の横方向が水平面と平行になる鏡筒２Ｒの軸部２０を回転の中心とする回転位置を鏡筒２Ｒの回転基準位置という。
【００４２】
軸部２０には、図８に示すように半円筒形の導電パターン取付体２１が取り付けられている。そしてこの導電パターン取付体２１の円筒面には図９に示すパターンの導電パターン２１Ａが設けられている。この図９に示す導電パターン２１Ａは、導電パターン取付体２１の円筒面に沿って備えられているものを平面に展開した状態を表している。
【００４３】
導電パターン２１Ａには、４つの導電部のパターン列が設けられている。すなわち、図９の最上方に最も長い１つの導電部２１ａを有する第１の導電部パターン列２１Ｐａが、その下方には略半分の長さの１つの導電部２１ｂを有する第２の導電部パターン列２１Ｐｂが、その下方には間隔を空けて２つの導電部２１ｃを有する第３の導電部パターン列２１Ｐｃが、最下方には間隔を空けて４つの導電触部２１ｄを有する第４の導電部パターン列２１Ｐｄが設けれている。
【００４４】
鏡筒２Ｒには、導電パターン２１Ａの各導電部パターン列２１Ｐａ、２１Ｐｂ、２１Ｐｃ、２１Ｐｄに接触する接触子２２が取り付けられていている。鏡筒２Ｒを軸部２０の周りに回転すると、この接触子２２も鏡筒２Ｒとともに軸部２０の周りに回転し、導電パターン取付体２１の周面を円周方向に沿って摺動する。つまり、鏡筒２Ｒを軸部２０の周りに回転すると、接触子２２は、図９に示す導電パターン２１Ａを左右方向に摺動する。
【００４５】
接触子２２は、４つの接点２２Ａ、２２Ｂ、２２Ｃ、２２Ｄを有している。接点２２Ａは、第１の導電部パターン列２１Ｐａに対応し、接点２２Ｂは、第２の導電部パターン列２１Ｐｂに対応し、接点２２Ｃは、第３の導電部パターン列２１Ｐｃに対応し、接点２２Ｄは、第４の導電部パターン列２１Ｐｄに対応している。そのため、接触子２２が、導電パターン２１Ａを左右方向に移動すると、接点２２Ａ、２２Ｂ、２２Ｃ、２２Ｄと導電パターン２１Ａの導電部パターン列２１Ｐａ、２１Ｐｂ、２１Ｐｃ、２１Ｐｄとが接触するかしないかの接触パターンが変わる。本実施の形態においては、導電パターン２１Ａの導電部パターン列２１Ｐａ、２１Ｐｂ、２１Ｐｃ、２１Ｐｄと接点２２Ａ、２２Ｂ、２２Ｃ、２２Ｄの接触パターンは、θ０、θ１、θ２、θ３、θ４、θ５、θ６、θ７の８つの接触パターンになっている。
【００４６】
なお、各導電部２１ａ、２１ｂ、２１ｃ、２１ｄの長さは、７：４：２：１となっている。よって、第１から第４の導電部パターン列２１Ｐａ、２１Ｐｂ、２１Ｐｃ、２１Ｐｄを４ビットの各ビットと考え、各導電部２１ａ、２１ｂ、２１ｃ、２１ｄと各接点２２Ａ、２２Ｂ、２２Ｃ、２２Ｄとが接触したときに各ビットが「１」と判断するようにすると、θ０は「００００」、θ１は「１１１１」、θ２「１１１０」、θ３「１１０１」、θ４「１１００」、θ５「１０１１」、θ６「１０１０」、θ７「１００１」となる。すなわち、１０進法にするとθ０は＝０、θ１＝１５、θ２＝１４、θ３＝１３、θ４＝１２、θ５＝１１、θ６＝１０、θ７＝９となる。
【００４７】
鏡筒２Ｒを軸部２０の周りに回転すると、鏡筒２Ｒ内に保持されているＣＣＤ１４も一緒に軸部２０の周りに回転する。したがって、双眼鏡装置１を水平にした状態を保ちながら、鏡筒２Ｒを回転基準位置から時計方向に軸部２０の周りに回転すると、ＣＣＤ１４の横方向は、右側が下側に傾いた状態となる。なお、鏡筒２Ｒが回転基準位置から時計方向に軸部２０を回転中心として回転した回転角度は、ＣＣＤ１４の横方向が水平面に対して傾いている角度と等しい。
【００４８】
鏡筒２Ｒの時計方向への回転に伴って、接触子２２は、導電パターン２１Ａをθ０からθ７まで摺動する。そして導電パターン２１Ａからは、接触子２２の接点２２Ａ、２２Ｂ、２２Ｃ、２２Ｄとの接触パターンに応じた信号が画像補正手段としての画像演算プロセッサ２３２を有する画像演算処理装置２３に出力される。導電パターン２１Ａから出力される信号は、鏡筒２Ｒが回転基準位置から軸部２０を回転の中心として時計方向に回転させられた回転角度に対応した信号となっている。
【００４９】
本実施の形態では、鏡筒２Ｒは、回転基準位置から軸部２０の周りに軸部２０に対して相対的に６４度回転できるようになっている。そして、鏡筒２Ｒが軸部２０の周りに回転したときの回転位置と接触パターンθ０からθ７との対応は次のようになっている。鏡筒２Ｒが回転基準位置から軸部２０の周りに軸部２０に対して相対的に回転した角度が０度から８度の範囲ではθ０に、８度から１６度の範囲ではθ１に、１６度から２４度の範囲ではθ２に、２４度から３２度の範囲ではθ３に、３２度から４０度の範囲ではθ４に、４０度から４８度の範囲ではθ５に、４８度から５６度の範囲ではθ６に、５６度から６４度の範囲ではθ７に対応している。
【００５０】
なお、鏡筒２Ｒが回転できる角度は、６４度に限られるものではなく、距離Ｄや軸部２０と光軸ＸＲおよび光軸ＸＬとの距離などにより適宜に設定する。また、導電パターン２１Ａと接触子２２の接触パターンの数を増やせば、精度の高い角度検出をすることができる。さらに、導電パターン２１Ａと接触子２２の接触パターンが検出する角度の範囲は、上述では均一に８度毎としたが、これを不均一にしてもよい。また、上記の例では、デジタル的に位置信号を抽出しているが、ボリューム等を利用してアナログ的に位置を連続的に検出するようにしてもよい。
【００５１】
メインスイッチ２４をオン操作して双眼鏡装置１を稼動させ、ＣＣＤ１４が第一結像面位置Ｍａに挿入された状態で、レリーズボタン２５をオン操作すると、ＣＣＤ１４で撮像された画像の画像データが、画像演算処理装置２３に送られる。
【００５２】
ＣＣＤ１４の横方向が水平面に対して傾いているときに撮像した画像の画像データをそのままモニタ表示画面に再生すると、表示された画像の水平方向（画像の中での水平方向）が、モニタ表示画面の横方向（モニタ表示画面の上辺と下辺に平行な方向）に対して傾くため、違和感のある画像が再生される。つまり、鏡筒２Ｒと鏡筒２Ｌの距離Ｄを調整するために回転基準位置にある鏡筒２Ｒを軸部２０の周りに回転すると、ＣＣＤ１４の横方向が水平面に対して傾く。そして、この傾いたＣＣＤ１４からの画像データをそのままモニタ表示画面に再生すると、上述のように違和感のある画像が再生されてしまう。
【００５３】
そこで、画像演算プロセッサ２３２では、ＣＣＤ１４の画像データについて図１０を参照しながら説明する補正を行い、モニタ表示画面に表示される画像の水平方向とモニタ表示画面の横方向との傾きの程度が小さくなるようにする。つまり、水平面に対して傾いたＣＣＤ１４の撮像面（実線にて描画）から、水平面と平行な辺を有する点線で示す矩形の画像１４Ａを切り出す画像の切り出し処理を行う。そして、この画像１４Ａの画像データを、モニタ表示画面に表示するための補正された画像データとするものである。
【００５４】
画像１４Ａの切り出し処理は次のように行う。
【００５５】
まず、ＣＣＤ１４の撮像面の中心Ｍ（撮像面の対角線の交点）と左上角の画素１４Ｂを結ぶ仮想線Ｔを、導電パターン２１Ａから出力される信号に対応した角度（鏡筒２Ｒが回転基準位置から軸部２０を回転中心にとして回転された回転角度、すなわち鏡筒２Ｒが回転基準位置から軸部２０の周りに軸部２０に対して相対的に回転した回転角度の半分の角度）だけ、中心Ｍの回りに反時計方向に回転させる。
【００５６】
そして、この仮想線ＴがＣＣＤ１４の撮像面の左側の辺と交差した位置にある画素Ａを画像１４Ａの左上角の画素とする。この画素Ａを座標基点（１，１）として、この座標基点を４角形の画像１４Ａの頂角の一つとし、かつ、ＣＣＤ１４の撮像エリアに内接する四角形の撮像エリアを画像１４Ａとして切り出す。
【００５７】
仮想線Ｔの回転は、この実施の形態では、次のような考えた方を採用して実施される。すなわち導電パターン２１Aからの信号が、接触パターンθ０の信号であるとき、つまり、鏡筒２Ｒが、回転基準位置から軸部２０の周りに、軸部２０に対して相対的に回転した角度が８度以内の場合は、鏡筒２Ｒは、回転基準位置からから回転されていないものとみなす。すなわち、接触パターンθ０の信号（上述の４ビットの信号では「００００」）は、鏡筒２Ｒが回転基準位置から回転されていないことを示す信号として出力される。したがって、仮想線Ｔは回転させずに、ＣＣＤ１４に撮像された画像データをそのままモニタ表示画面の画像データとする。
【００５８】
接触パターンがθ１からθ７のときの信号は、上述のように鏡筒２Ｒが回転基準位置から軸部２０を回転中心として回転された回転角度を表す信号として出力される。つまり、接触パターンθ１からθ７の信号は、各接触パターンがカバーする鏡筒２Ｒの軸部２０に対する相対的な回転角度の範囲の中間の角度の半分の角度だけ、鏡筒２Ｒが回転基準位置から軸部２０を中心に回転された信号として出力される。
【００５９】
したがって、例えば、鏡筒２Ｒが、回転基準位置から軸部２０に対して相対的に８度から１６度の範囲内に回転されている場合は、導電パターン２１Ａから出力される接触パターンθ１の信号は、鏡筒２Ｒが８度から１６度の中間の１２度の半分の６度だけ回転基準位置から軸部２０を回転中心して回転された信号として出力される。つまり、鏡筒２Ｒは、回転基準位置から軸部２０に対して相対的に８度と１６度の範囲に回転されている場合は、その中間に回転されているものとみなすこととしている。そして、接触パターンθ１の信号は、鏡筒２Ｒが回転基準位置から軸部２０を回転中心として１２度の半分の６度回転されたこととする信号となっている。すなわち、接触パターンθ１の信号である上述の４ビットの信号「１１１１」は、鏡筒２Ｒが回転基準位置から軸部２０を回転中心に６度回転されていることを示す信号として出力される。したがって、導電パターン２１Ａからの接触パターンθ１の信号であるときは、鏡筒２Ｒが回転基準位置から軸部２０を回転中心にして６度回転されたとして、仮想線Ｔを６度回転させる。
【００６０】
また、鏡筒２Ｒが、回転基準位置から軸部２０に対して相対的に１６度から２４度の範囲内に回転されている場合は、導電パターン２１Ａから出力される接触パターンθ２の信号は、鏡筒２Ｒが１６度から２４度の中間の２０度の半分の１０度だけ回転基準位置から軸部２０を回転中心して回転された信号として出力される。つまり、鏡筒２Ｒは、回転基準位置から軸部２０に対して相対的に１６度と２４度の範囲に回転されている場合は、その中間に回転されているものとみなすこととしている。そして、接触パターンθ２の信号は、鏡筒２Ｒが回転基準位置から軸部２０を回転中心として２０度の半分の１０度回転されたこととする信号となっている。すなわち、接触パターンθ２の信号である上述の４ビットの信号「１１１０」は、鏡筒２Ｒが回転基準位置から軸部２０を回転中心に１０度回転されていることを示す信号として出力される。したがって、導電パターン２１Ａからの接触パターンθ２の信号であるときは、鏡筒２Ｒが回転基準位置から軸部２０を回転中心にして１０度回転されたとして、仮想線Ｔを１０度回転させる。
【００６１】
以下同様に、接触パターンがθ３のとき（上述の４ビットの信号が「１１０１」のとき）は仮想線Ｔを１４度、接触パターンがθ４のとき（上述の４ビットの信号が「１１００」のとき）は仮想線Ｔを１８度、接触パターンがθ５のとき（上述の４ビットの信号が「１０１１」のとき）は仮想線Ｔを２２度、接触パターンがθ６のとき（上述の４ビットの信号が「１０１０」のとき）は仮想線Ｔを２６度、接触パターンがθ７のとき（上述の４ビットの信号が「１００１」のとき）は仮想線Ｔを３０度回転させる。
【００６２】
以上のように、画像１４Ａは、対角線が、ＣＣＤ１４の撮像面の対角線に対し、鏡筒２Ｒと一体に軸部２０を中心に回転する観察光学系３Ｒの回転基準位置からの回転角度に基づいて回転された画像となっている。
【００６３】
なお、仮想線Ｔの回転角度を、鏡筒２Ｒが回転基準位置から軸部２０の周りに軸部２０に対して相対的に回転された角度の半分とするのは、次の理由による。
【００６４】
前述したように、眼鏡装置１を水平にした状態を保ちながら、鏡筒２Ｒを軸部２０の周りに回転させると、軸部２０に固定されている鏡筒２Ｌも見かけ上、軸部２０の周りに回転する。そのため、ＣＣＤ１４の横方向が水平面に対して傾く角度は、鏡筒２Ｒが回転基準位置から軸部２０の周りに軸部２０に対して相対的に回転した回転角度の半分となるからである。
【００６５】
なお、上述の例では鏡筒２Ｒは、接触パターンで検出される回転範囲の中間の位置に回転されているものとみなして、仮想線Ｔの回転角度を決定していたが、鏡筒２Ｒが、各回転範囲の最大の値、あるいは最小の値などの回転位置に回転されているものとみなして、この角度に基づいて仮想線Ｔの回転角度を決定してもよい。
【００６６】
本実施の形態では、鏡筒２Ｒの回転位置の検出を導電パターン２１Ａの接触パターンθ０からθ７の８段階としているため、仮想線Ｔの回転角度と実際の鏡筒２Ｒの回転角度とが一致しない場合がある。
【００６７】
そのため、画像１４Ａをモニタ表示画面に表示したときに、表示された画像の水平方向とモニタ表示画面の横方向とが正確に平行にならない場合がある。しかしながら、本実施の形態のように、鏡筒２Ｒの軸部２０を中心にした回転基準位置からの回転角度を０度、６度、１０度、１４度、１８度、２２度、２６度、３０度のように、数度の精度で検出できれば、画像の鑑賞には大きな違和感はない。
【００６８】
すなわち、実際の水平面との差は、２度または４度であり、大きな差としては現れてこない。つまり、鏡筒２Ｒの軸部２０を回転中心とした回転基準位置からの実際の回転角度が０度から４度の範囲にあるときは、鏡筒２Ｒの回転基準位置からの回転角度を０度として検出するため、仮想線Ｔの回転角度と鏡筒２Ｒの回転角度との差は、最大で４度である。
【００６９】
また、鏡筒２Ｒの軸部２０を回転中心とした回転基準位置からの実際の回転角度が４度から８度の範囲にあるときは、鏡筒２Ｒの回転基準位置からの回転角度を６度として検出するため、仮想線Ｔの回転角度と鏡筒２Ｒの回転角度との差は、最大で２度である。
【００７０】
鏡筒２Ｒの以降の回転範囲、つまり鏡筒２Ｒの軸部２０を回転中心とした回転基準位置からの実際の回転角度が８度から１２度、１２度から１６度、１６度から２０度、２０度から２４度、２８度から３２度の範囲においても同様に、仮想線Ｔの回転角度と鏡筒２Ｒの回転基準位置からの実際の回転角度との差は、最大で２度である。
【００７１】
なお、導電パターン２１Ａと接触子２２との接触パターンを増やしたり、回転角検出手段としてボリューム等を利用して、鏡筒２Ｒの回転基準位置からの回転角を精度高くあるいは連続的に検出することにより、モニタ表示画面に表示された画像１４Ａの水平方向とモニタ表示画面の横方向とのなす角を、より小さくし、さらには一致させることができる。また、画像データの補正に際しては、単純補間法、バイキュービック法といった画像処理補間手法を併用してもよい。
【００７２】
画像演算プロセッサ２３２で補正された画像データは、画像メモリ２６に記録される。そして、この記憶された画像データは、外部接続端子２７を介して、図示外のモニタ表示画面に表示することができる。なお、モニタ表示画面に画像を表示する際にコンピュタを介して、画像の色調などを補正して表示することもできる。
【００７３】
ＣＣＤ１４から切り出された画像１４Ａのアスペクト比（画像の縦横比）は、ＣＣＤ１４の撮像面のアスペクト比と一致していない。また、切り出された画像はＣＣＤ１４の画素数より少なくなっている。そのため、画像演算処理装置２３では、モニタ表示画面に表示される画像のアスペクト比と表示画素数を、ＣＣＤ１４の画像と同じアスペクト比と画素数と同じになるように、画像データを補正する伸張補間処理を行ったあと、画像メモリ２６に記憶を行う。もちろん、伸張補間処理を行うことなく画像メモリ２６に記憶してもよい。
【００７４】
次に画像演算処理装置２３における画像データの処理について図１１を参照しながら説明する。
【００７５】
ＣＣＤ１４から出力された画像データは、アナログ信号処理部２３１において、Ａ／Ｄ変換されて画像演算プロセッサ２３２に出力される。
【００７６】
この画像演算プロセッサ２３２は、Ａ／Ｄ変換された画像データを露出制御演算、ホワイトバランス処理、ガンマ処理などを行い、一時保存メモリ２３３に出力する。この一時保存メモリ２３３は、画像演算プロセッサ２３２から出力された画像データを加工するために一時的に保存する役目を果たしている。
【００７７】
次いで画像演算プロセッサ２３２は、一時保存メモリ２３３から画像データを読み出し、導電パターン２１ＡからのＣＣＤ１４の横方向の水平面に対する角度（鏡筒２Ｒの回転基準位置からの軸部２０を回転中心として回転された回転角度）に関する信号に基づき画像１４Ａの切り出し処理を行う。この切り出し処理によって得られた画像１４Ａの画像データは、画像メモリ２６に記憶される。
【００７８】
伸張補間処理を行う場合には、切り出し処理を行った後、画像１４Ａの画像データを再び一時保存メモリ２３３に記憶し、画像演算プロセッサ２３２で伸張補間処理を行った後、画像メモリ２６に記憶する。
【００７９】
ＣＣＤ１４とアナログ信号処理部２３１とは、タイミング発生器２３４により画像データの転送のタイミングが計られている。
【００８０】
なお、画像演算プロセッサ２３２から画像メモリ２６に画像データを記憶するときに、画像データを圧縮処理してから保存してもよい。また、画像１４Ａの切り出し処理や伸張補間処理を行う際に、実時間で画像の切り出しや伸張補間処理をすることが可能なシステムを採用した場合には、一時保存メモリ２３３を用いることなく直接画像メモリ２６に記憶することができる。
【００８１】
一方、上記の方法により、画角切り出し処理や伸張補間処理を行う場合に、画素数の多いいわゆる高画素のＣＣＤを採用すると、画素数の増加に伴ってその演算速度が遅くなり、また、一時保存メモリ２３３に大きな記憶容量が要求される。そのため、ＣＣＤ１４の画像データをパソコン等の外部の演算手段に転送して、これらの処理を行う手段を採ることもできる。この場合、外部の演算手段が画像補正手段を有するものとする。外部の演算手段が処理に必要なデータは、ＣＣＤ１４の出力の水平方向の画素数、垂直方向の画素数、ならびに鏡筒２Ｒの軸部２０の周りの回転角度に関するデータ等である。外部の演算手段では、これらのデータに基づいて、画像の切り出し処理や伸張補完処理を行う。
【００８２】
なお、デジタルカメラの技術においては、一般に採用されている画像データフォーマットは、画像データの他に、例えば、シャッタスピードや絞りのデータ等の画像に関する様々なデータを記録するために、ファイル内にこれらのデータを同時に保存する仕組みが備えられている。
【００８３】
そこで、この仕組みと同じように、鏡筒２Ｒの回転基準位置からの回転角度（ＣＣＤ１４の横方向が水平面に対して傾いている角度）に関するデータも付随情報としてファイル内に埋め込むことが可能である。
【００８４】
ＣＣＤ１４で撮像された画像に対して、回転した画像を得る手段としては、上述した切り出し処理による方法の他に、ＣＣＤ１４で撮像された画像を回転処理する方法がある。この回転処理は、例えば次のように行う。ＣＣＤ１４で撮像された画像の各画素について、画素の位置を、撮像面の中心を回転中心にして、導電パターン２１Ａから出力される信号に対応した角度（鏡筒２Ｒが回転基準位置から軸部２０を中心として回転させられた角度）だけ回転させたときの位置に変換する補正を行う。そして、この回転処理された画像データをモニタ表示画面に表示するための補正された画像データとするものである。
【００８５】
回転処理された画像データをそのままモニタ表示画面に表示すると、画像データのない部分がモニタ表示画面に形成されてしまうことがある。つまり、画像が回転処理されると、撮像エリアの外周と回転処理された後の画像の外周との間に画像データがない部分が生じ、この部分が、モニタ表示画面に表示されてしまうことになる。
【００８６】
そのため、回転処理された後の画像に、四角形の画像エリアを設定し、このエリア内の画像データをモニタ表示画面に表示するための、補正された画像データとしてもよい。この四角形の画像エリアの横方向は、ＣＣＤ１４の横方向に対して、導電パターン２１Ａから出力される信号に対応した角度を有するように設定される。つまり、四角形の画像エリアの画像は、ＣＣＤ１４で撮像された画像に対して、鏡筒２Ｒが回転基準位置から軸部２０を回転中心にして回転された角度だけ回転した画像となっている。
【００８７】
回転処理された画像データをそのままモニタ表示画面側に送り、モニタ表示画面側で、モニタ表示画面の横方向に平行な辺を有する四角形の画像エリアを設定し、この画像エリアの画像だけをモニタ表示画面に表示するようにしてもよい。
【００８８】
ところで、観察光路Ｒの光路外に退避した位置に在る撮像ユニット１３の前方には、鏡筒２Ｒの内側に、正立光学系３Ｒｂと撮像ユニット１３とにより囲われた空間２８が形成される。この空間２８内に双眼鏡装置１の電源となる電池２９が配設される。
【００８９】
また、鏡筒２Ｌの内側には、正立光学系３Ｌｂとの間に空間３０が形成されている。この空間３０内に画像演算処理装置２３が実装されるプリント基板３１、画像メモリ２６が実装されるプリント基板３２および制御回路３２が配設される。この制御回路３３は、ＣＣＤ１４や画像演算処理装置２３などといった双眼鏡装置１の動作を制御している。
【００９０】
なお、撮像手段としては、本実施の形態で示したＣＣＤ１４以外にＣ−ＭＯＳ（相補金属酸化半導体）を用いることができる。
【００９１】
次に図１２および図１３を参照しながら、本発明の第２の実施の形態の双眼鏡装置について説明する。なお、この第２の実施の形態の双眼鏡装置は、回転検出手段のみが、異なり、他の構成は、第１の実施の形態と同様となっている。このため、そう回転角度検出手段についてのみその構成を説明する。その他の構成は、省略または簡略化することとする。
【００９２】
この回転角検出手段は、十字の基準線３４Ａを有する指標板３４と、導電パターン３５と、接触子３６とから構成される。指標板３４は、鏡筒２Ｌに支持されている回転筒３７に保持されている。この回転筒３７は、この回転筒３７の中心と光軸ＸＬとが一致していて、鏡筒２Ｌに対して光軸ＸＬの周りに後述する回転つまみ３７Ａの操作によって回転できるようになっている。さらに導電パターン３５は、回転筒３７の側面に設けられている。
【００９３】
接触子３６は、一端が鏡筒２Ｌに固定され、他端が導電パターン３５に摺動できるように接している。回転筒３７を上方から見た図１３から判るように、回転筒３７が回転されると、導電パターン３５と接触子３６は、上述の導電パターン２１Ａと接触子２２と同じように、回転位置に応じて接触パターンが異なるようになっている。
【００９４】
指標板３４は、双眼鏡装置１が水平な状態で、鏡筒２Ｒが回転基準位置に在るときに、回転筒３７を時計回り（観察者側から観て）に回し切った状態となる。そして、そのときに、基準線３４Ａである十字線の縦線と横線が、それぞれ水平面および鉛直面に平行になるように回転筒３７に保持されている。
【００９５】
鏡筒２Ｒと鏡筒２Ｌの間隔を観察者の両眼の間隔に合わせるために、双眼鏡装置１を水平にした状態を保ちながら、鏡筒２Ｒを軸部２０の周りに回転させると、指標板３４は、その位置を維持しつつ見た目上は軸部２０の周りに回転する。そして、基準線３４Ａは、鏡筒２Ｒが軸部２０の周りに軸部２０に対して相対的に回転した回転角度の半分の角度だけ水平面に対して傾く。
【００９６】
水平面に対して傾いた基準線３４Ａが水平面および鉛直面に平行になるように、回転筒３７を回転させる。回転筒３７には回転つまみ３７Ａが備えられている。この回転つまみ３７Ａは、鏡筒２Ｌの外側から操作できるようになっていて、回転つまみ３７Ａを回転操作することにより、回転筒３７を回転することができるようになっている。
【００９７】
回転つまみ３７Ａを回転操作して回転筒３７を回転させると、回転筒３７の周りに備えられた導電パターン３５と接触子３６の接触位置が変位する。そして、導電パターン３５からは、水平面および鉛直面に対して傾いた基準線３４Ａが水平面および鉛直面に平行になるまで回転筒３７を回転させた角度に対応した信号が出力される。
【００９８】
回転筒３７を回転させた角度は、ＣＣＤ１４の横方向が水平面に対して傾いている角度と等しい。画像演算プロセッサ２３２において、この信号に基づいて、画像１４Ａの切り出し処理を行う。この画像１４Ａの画像データが、モニタ表示画面に表示される補正された画像データとなる。もちろん、導電パターン３５からの信号に基づいて、画像の回転処理を行い、この処理によって補正された画像データを、モニタ表示画面に画像を表示するための画像データとしてもよい。
【００９９】
なお、撮影された画像の枚数は液晶表示部３８に表示される。またモードボタン３９は、室内撮影や屋外撮影等の撮影モードの切り替えボタンである。
【０１００】
以上説明した各実施の形態において、接触子２２および接触子３６が、エンコーダの信号入力側に設定され、導電パターン２１Ａおよび導電パターン３５が信号出力側に設定されている。しかし、導電パターン２１Ａおよび導電パターン３５を信号入力側とし、接触子２２および接触子３６を信号出力側として構成してもよい。
【０１０１】
また、鏡筒２Ｒと鏡筒２Ｌの回転位置をクリック機構により、特定の回転位置に位置決めされる構造とし、この位置決めされる位置で、鏡筒２Ｒと鏡筒２Ｌの回転基準位置からの回転角度を検出するようにしてもよい。このようにすると、検出された角度と、鏡筒２Ｒと鏡筒２Ｌの回転基準位置からの実際の回転角度とが一致する。そのため、切り出し処理された画像１４Ａあるいは回転処理された画像が表示されるモニタ表示画面の画像の水平方向とモニタ表示画面の横方向とが常に平行となる画像を鑑賞することができる。
【０１０２】
また、回転角検出手段をボリューム等で構成し、鏡筒２Ｒの回転角度を連続的にアナログ的に検出するようにすれば、切り出し処理された画像１４Ａあるいは回転処理された画像が表示されるモニタ表示画面の画像の水平方向とモニタ表示画面の横方向とが常に平行となる画像を鑑賞することができる。
【０１０３】
また、接触子２２は、上記第１の実施の形態においては、鏡筒２Ｒに取り付けられているが、鏡筒２Ｌに取り付けてもよい。また、指標板３４、導電パターン３５、接触子３６および回転筒３７についても、上記実施の形態においては鏡筒２Ｌの側に備えているが、これらを鏡筒２Ｒの側に備えてもよい。
【０１０４】
【発明の効果】
以上のように、本発明によれば、撮像素子を備える観察光学系が軸の周りに回転しても、切り出し処理された画像は、画像の中の水平方向が水平面に対して傾く角度は、観察光学系が回転した角度に比べて小さくすることができる。そのため、この画像をモニタ表示装置に表示したときにも、表示画像の水平方向とモニタ表示画面の横方向との傾きを小さくすることができる。
【図面の簡単な説明】
【図１】本発明の第１の実施の形態に係る双眼鏡装置の外観を示す図である。
【図２】本発明の第１の実施の形態に係る双眼鏡装置の内部の構造を示す平面である。
【図３】本発明の第１の実施の形態に係る双眼鏡装置の撮像手段の動作を説明するための内部構成側面図で、撮像ユニットが観察光学系Ｒから（光軸ＸＲ）から退避した状態を示す図である。
【図４】本発明の第１の実施の形態に係る双眼鏡装置の撮像手段の動作を説明するための内部構成側面図で、撮像ユニットが観察光学系Ｒから（光軸ＸＲ）に入り込み、第１結像面位置にＣＣＤが挿入された状態を示す図である。
【図５】本発明の第１の実施の形態に係る双眼鏡装置の撮像手段の動作を説明するための後方から見た図で、撮像ユニットが、観察光学系Ｒから（光軸ＸＲ）退避した状態を示す図である。
【図６】本発明の第１の実施の形態に係る双眼鏡装置の撮像手段の動作を説明するための後方から見た図で、撮像ユニットが観察光学系Ｒから（光軸ＸＲ）に入り込み、第１結像面位置にＣＣＤが挿入された状態を示す図である。
【図７】本発明の第１の実施の形態に係る双眼鏡装置の鏡筒を回転させた状態を示す図で、後方から見た図である。
【図８】本発明の第１の実施の形態に係る双眼鏡装置の回転角検出手段を示す図で、後方から見た図である。
【図９】本発明の第１の実施の形態に係る双眼鏡装置の導電パターン部を示す図である。
【図１０】本発明の第１の実施の形態に係る双眼鏡装置の画像データの補正方法を説明するための図である。
【図１１】本発明の第１の実施の形態に係る双眼鏡装置の画像データの補正を行う画像演算処理装置の構造を示す図である。
【図１２】本発明の第２の実施の形態に係る双眼鏡装置の回転角検出手段を示す図で、要部を後方から見た図である。
【図１３】本発明の第２の実施の形態に係る双眼鏡装置の回転角検出手段を上方から見た平面図である。
【符号の説明】
１  双眼鏡装置
Ｒ  観察光学系３Ｒの観察光路（光路）
Ｌ  観察光学系３Ｌの観察光路（光路）
３Ｒ  右側の観察光学系
３Ｌ  左側の観察光学系
１４  ＣＣＤ（撮像素子）
２０  軸部 (軸)
２１Ａ  導電パターン
２２  接触子
２３２  画像演算プロセッサ（画像補正手段）
３４  指標体
３５  導電パターン
３６  接触子
【図１】
2004191861.tif 000003
【図２】
2004191861.tif 000004
【図３】
2004191861.tif 000005
【図４】
2004191861.tif 000006
【図５】
2004191861.tif 000007
【図６】
2004191861.tif 000008
【図７】
2004191861.tif 000009
【図８】
2004191861.tif 000010
【図９】
2004191861.tif 000011
【図１０】
2004191861.tif 000012
【図１１】
2004191861.tif 000013
【図１２】
2004191861.tif 000014
【図１３】
2004191861.tif 000015